(57)【要約】
【課題】ショルダーベルトを所望長さに調節できるとともに、調節後の余剰のショルダーベルトをバッグ本体内に引き入れて、収容することができるショルダーバッグを提供する。
【解決手段】バッグ本体２の第１襠部２ｄの上端部の近傍に、ショルダーベルト３を挿通する挿通部４を設け、ショルダーベルト３の一端部３ａを第１襠部２ｄの内面に取り付け、他端部３ｂを第１襠部２ｄに設けた調節具Ｃを経て挿通部４からバッグ本体２の外部に引き出し、第２襠部２ｅに取り付けてなる。また、第１襠部２ｄの内面にバッグ本体２内に引き入れられたショルダーベルト３を収容する収容部５を設ける。
【選択図】　図１
0003099277.tif 000002
【実用新案登録請求の範囲】
【請求項１】
底面から、前面部と、背面部と、左右の第１襠部、第２襠部と、が立ちあげられて袋状に形成されたバッグ本体の上面が開閉自在に構成され、第１襠部、第２襠部の各上端部間にショルダーベルトが取り付けられたショルダーバッグにおいて、
前記第１襠部の上端部の近傍に、ショルダーベルトをバッグ本体内に挿通する挿通部が設けられ、ショルダーベルトは、一端部が第１襠部の内面に取り付けられ、他端部が第１襠部に設けた調節具を経て挿通部からバッグ本体の外部に引き出され、第２襠部に取り付けられたことを特徴とするショルダーバッグ。
【請求項２】
前記第１襠部の内面に、バッグ本体内に引き入れられたショルダーベルトを収容する収容部が設けられたことを特徴とする請求項１記載のショルダーバッグ。
【考案の詳細な説明】
【技術分野】
【０００１】
　本考案は、ショルダーバッグに関する。
【背景技術】
【０００２】
　一般にショルダーバッグは、バッグ本体に取り付けられたショルダーベルトを使用者が肩にかけることにより、使用者の両手を解放して収容物を持ち運ぶことができるため、広く用いられている。
【考案の開示】
【考案が解決しようとする課題】
【０００３】
　ショルダーバッグは、ショルダーベルトの長さによって、使い勝手や見た目が異なるものとなる。このため、使用者側で適宜長さを調節するショルダーバッグが従来から提供されている。
【０００４】
しかしながら、従来のショルダーバッグでは、若干の長さしか調節できないものが殆どであった。
【０００５】
一方、昨今、ベルトの長さを長くしてたすき掛けにしたり、ベルトの長さを短くして上腕と体側部との間に挟んで持つような多様な態様でショルダーバッグが使用されている。したがって、一つのショルダーバッグでこのような多様な態様での使用に対応するためには、ショルダーベルトを予め十分な長さに設定しておき、使用者側で所望長さに調節する必要がある。
【０００６】
ところが、使用者が所望の長さにショルダーベルトを調節した際、ショルダーベルトの端部が余り、この余剰のショルダーベルトがショルダーバッグの外部に露出して、邪魔になったり、突出物に引っ掛って危険であったり、また、ショルダーバッグの外観が悪くなるといった問題が生じる。
【０００７】
　本考案は、上記のような事情に鑑み創作されたものであって、ショルダーベルトを所望長さに調節できるとともに、調節後の余剰のショルダーベルトをバッグ本体内に引き入れて、収容することができるショルダーバッグの提供を目的とする。
【課題を解決するための手段】
【０００８】
　上記の目的を達成するため、本考案は、底面から、前面部と、背面部と、左右の第１襠部、第２襠部と、が立ちあげられて袋状に形成されたバッグ本体の上面が開閉自在に構成され、第１襠部、第２襠部の各上端部間にショルダーベルトが取り付けられたショルダーバッグにおいて、前記第１襠部の上端部の近傍に、ショルダーベルトをバッグ本体内に挿通する挿通部が設けられ、ショルダーベルトは、一端部が第１襠部の内面に取り付けられ、他端部が第１襠部に設けた調節具を経て挿通部からバッグ本体の外部に引き出され、第２襠部に取り付けられたことを特徴とする。
【０００９】
この考案によれば、挿通部からバッグ本体内に挿通したショルダーベルトの長さを調節具により調節することができる。したがって、使用者が所望長さにショルダーベルトを調節した後の余剰のショルダーベルトが邪魔になったり突出物に引っ掛ることがなく、また、見た目にも美しいショルダーバッグの外観を呈する。
【００１０】
本考案は、前記第１襠部の内面に、バッグ本体内に引き入れられたショルダーベルトを収容する収容部が設けられたことを特徴とする
この考案によれば、バッグ本体内に挿通された余剰のショルダーベルトを収容部に収容することにより、この余剰のショルダーベルトとバッグ本体内の収容物とが干渉することがないので、収容物の出し入れが容易で使い勝手がよい。
【考案の効果】
【００１１】
本考案のショルダーバッグによれば、ショルダーベルトを所望長さに調節できるとともに、調節後の余剰のショルダーベルトをバッグ本体内に引き入れて、収容することができる。
【考案を実施するための最良の形態】
【００１２】
　以下、本考案の実施の形態について図を参照して説明する。
【実施例１】
【００１３】
図１乃至図３には、本考案のショルダーバッグ１の実施形態が示されている。
【００１４】
　このショルダーバッグ１は、バッグ本体２と、バッグ本体２に取り付けられたショルダーベルト３と、から構成されている。
【００１５】
　バッグ本体２は、内部が収容空間とされた袋状体であって、底面２ａから、前面部２ｂと、前面部２ｂに対向する背面部２ｃと、左右の第１襠部２ｄ、第２襠部２ｅと、が立ち上げられ、上面２ｆは、ファスナーＡを介して開閉自在に構成されている。
【００１６】
ファスナーＡは、前面部２ｂおよび背面部２ｃの上端縁に取り付けられており、第１襠部２ｄ側にファスナーＡの下止めが位置し、第２襠部２ｅ側にファスナーＡの上止めが位置するように設定されている。
【００１７】
第１襠部２ｄの上端部とファスナーＡの端部との間には、ショルダーベルト３が挿通可能な間隙が形成されており、挿通部４とされている。また、第１襠部２ｄの内面には、ショルダーベルト３を収容可能な袋状の収容部５が設けられ、収容部５の上端には、調節具Ｃが取付片Ｄを介して取り付けられている。一方、第２襠部２ｅの上端には、接続具Ｂが取付片Ｅを介して取り付けられている。
【００１８】
ショルダーベルト３は、一端部３ａが収容部５の底部に縫着されており、他端部３ｂが調節具Ｃを経て挿通部４からバッグ本体２の外部に引き出され、第２襠部２ｅの接続具Ｂに取り付けられている。
【００１９】
なお、ショルダーベルト３の他端部３ｂは、接続具Ｂを介することなく、第２襠部２ｅの上端に直接縫着してもよい。
【００２０】
調節具Ｃは、取付片Ｄに連結された本体部Ｃ１と、本体部Ｃ１に対して回動自在に設けられ、多数の歯を形成した固定部Ｃ２とからなり、本体部Ｃ１と固定部Ｃ２との隙間を通して挿入されたショルダーベルト３は、固定部Ｃ２が回動されることにより、本体部Ｃ１に固定され、あるいは固定が解除される。
【００２１】
　次に、上記した構成のショルダーバッグ１の使用方法を説明する。
【００２２】
　使用者は、まずショルダーベルト３を挿通部４から引き込んで、所望の長さに調節し、調節具Ｃの固定部Ｃ２を回動して、ショルダーベルト３を固定する。
【００２３】
次いで、余剰のショルダーベルト３を収容部５に収容する。
【００２４】
次に、バッグ本体２に荷物を収容し、ファスナーＡを係合してバッグ本体２の上面２ｆを閉鎖する。使用者は、所望長さのショルダーベルト３を肩にかけて、ショルダーバッグ１を持ち運ぶことができる。
【００２５】
収容物を出し入れする場合は、ファスナーＡの係合を解除し、バッグ本体２の上面２ｆを開口する。この際、余剰のショルダーベルト３が収容部５に納められているため、収容物とショルダーベルト３とが絡み合うなど干渉することがなく、スムーズに収容物を出し入れすることができる。
【産業上の利用可能性】
【００２６】
　日常的に用いられる小量の荷物を収容して持ち運ぶショルダーバッグのほか、比較的大量の荷物を収容する大型のショルダーバッグにおいても、適用できる。
【図面の簡単な説明】
【００２７】
【図１】本考案のショルダーバッグを示す斜視図である。
【図２】図１のショルダーバッグの挿通部および収容部を示す斜視図である。
【図３】図１のショルダーバッグの収容部の一部を破断して示す斜視図である。
【符号の説明】
【００２８】
１　　　ショルダーバッグ
２　　　バッグ本体
３  　　ショルダーベルト
４　　  挿通部
５　　　収容部
【図１】
0003099277.tif 000003
【図２】
0003099277.tif 000004
【図３】
0003099277.tif 000005